(57)【要約】      （修正有）【課題】電気回路の構造は簡単で、効率よく、消耗が低い、省エネルギー、長寿命のＬＥＤ照明器具電気回路を提供する。【解決手段】整流フィルタ電気回路１，ＬＥＤ負荷３，定電流電源パーツ４，扇風機電気回路６を含んで、交流電流は整流フィルタ電気回路１の整流とフィルタを通して、直流電流になる後、出力端Ａとアース端Ｇを形成して、ＬＥＤ負荷３は定電流電源パーツ４と直列連結して、出力端Ａとアース端Ｇの間につないで、電気回路を構成する。定電圧電気回路２，定時電気回路８も含んで、定時電気回路８は定電圧電気回路２とつないで、定電圧電気回路２に定時のフィードバック信号を供給して、定電圧電気回路２の出力電圧を変えることに使う。【選択図】図１１
2010171014.tif 000002
【特許請求の範囲】
【請求項１】
一種のLED照明器具電気回路、その特性は整流フィルタ電気回路（１）、LED負荷（３）、定電流電源パーツ（４）、扇風機電気回路（６）を含んで、交流電流は整流フィルタ電気回路（１）の整流とフィルタを通して、直流電流になる後、出力端（A）とアース端（G）を形成して、LED負荷（３）は定電流電源パーツ（４）と直列連結して、出力端（A）とアース端（G）の間につないで、電気回路を構成することにある。
【請求項２】
請求項１の述べたLED照明器具電気回路、その特性はLED照明器具電気回路は定電圧電気回路(２)を含んで、定電圧電気回路(２)は整流フィルタ電気回路（１）とつないで、交流電流は整流フィルタ電気回路（１）の整流とフィルタを通して、直流電流になる後、また定電圧電気回路(２)の定電圧を通して、出力端（A）とアース端（G）の間にあるLED負荷（３）、定電流電源パーツ（４）に定電圧の直流電流を供給することにある。
【請求項３】
一種のLED照明器具電気回路は整流フィルタ電気回路（１）、定電圧電気回路(２)、LED負荷（３）、定電流電源パーツ（４）、定時電気回路（８）を含んで、交流電流は整流フィルタ電気回路（１）の整流とフィルタを通して、直流電流になる後、また定電圧電気回路(２)の定電圧を通して、定電圧の直流の出力になって、出力端（A）とアース端（G）を形成して、LED負荷（３）は定電流電源パーツ（４）と直列連結して、出力端（A）とアース端（G）の間につないで電気回路を構成して、定時電気回路(８)は定電圧(２)と連結して、定電圧電気回路(２)に定時のフィードバック信号を供給して定電圧電気回路(２)の出力電圧を変えることに使う。
【請求項４】
請求項３の述べたLED照明器具電気回路、その特性はLED照明器具電気回路はLED照明器具の放熱扇風機に電気を供給する扇風機電気回路を含むことにある。
【請求項５】
請求項２或は３或は４の述べたLED照明器具電気回路、その特性は定電圧電気回路(２)はスイッチ電源であり、定電圧電気回路(２)はパワー因数校正電気回路を含むことにある。
【請求項６】
請求項１或は２或は４の述べたLED照明器具電気回路、その特性は扇風機電気回路(６)はLED負荷(３)、定電流電源パーツ（４）と直列連結して出力端（A）とアース端（G）の間につないで或は扇風機電気回路(６)は定電圧電気回路(２)から直流電流を取り出して、電気を供給することにある。
【請求項７】
請求項１或は２或は４の述べたLED照明器具電気回路、その特性は扇風機電気回路(６)は扇風機制御モジュール(FAN)及び分路抵抗器（R１０）を含んで、扇風機制御モジュール(FAN)は分路抵抗器（R１０）と並列連結をすることにある。
【請求項８】
請求項１或は２或は３、４の述べたLED照明器具電気回路、その特性は定電流電源パーツ（４）はDepletion電界効果トランジスタであり、Depletion電界効果トランジスタのDrainは１つの接点であり、Source とGateは連結して、もう一方の接点になることにある。
【請求項９】
請求項１或は２或は３、４の述べたLED照明器具電気回路、その特性はLED負荷(３)は少なくとも１組の直列連結の何個のLEDを含んむことにある。
【請求項１０】
請求項９の述べたLED照明器具電気回路、その特性はすべての組のLEDが１つの定電流電源パーツ(４)と直列連結をして、直列連結をする後の何組がまた並列連結して、一体として出力端Aがとアース端Gの間につなぐことにある。
【請求項１１】
請求項９の述べたLED照明器具電気回路、その特性は全ての組のLEDが並列連結をして、一体として定電流電源パーツ(４)と直列連結をすることにある。
【請求項１２】
請求項１或は２或は３、４の述べたLED照明器具電気回路、その特性はLED照明器具電気回路は短絡保護電気回路(５)を含んで、短絡保護電気回路(５)が交流電源の出力端及び整流フィルタ電気回路(１)の間につなぐことにある。
【請求項１３】
請求項１或は２或は３、４の述べたLED照明器具電気回路、その特性はLED照明器具電気回路は温度オーバー保護電気回路(７)を含んで、温度オーバー保護電気回路(７)が交流電源の出力端及び整流フィルタ電気回路(１)の間につなぐことにある。
【発明の詳細な説明】
【技術分野】
【０００１】
当発明が一種のLED照明器具に用いる電気回路と関連する。
【背景技術】
【０００２】
現在、LEDの応用はますます広範になって、日常の室内照明に用いるLED照明器具もますます普及になっている。LEDは日常の照明に応用して、照度の要求を達成するため、普通は多数の出力型のLEDを１つの照明器具の上に集中して使って、そのためLEDの放熱はLED照明器具の使用状態と寿命を影響する１つの重要な要素になって、特にハイ・パワーLED照明器具について、放熱の問題はすでに広範な応用の１つの技術のボトルネックになった。今のLED照明器具はすべて被動式の放熱に属して、即ち放熱器のヒートシンクあるいは類似の装置を通じて放熱を行って、放熱の効果を改善するため、できるだけ放熱の面積を増加しなければならなくて、それによって、殆どのLED照明器具の外形の体積がわりに大きいことを招いて、放熱の構造は複雑で、その上放熱の効果について決して満足できない。現在、LED照明器具を使用する中でまだ放熱の扇風機を使う放熱の先例がない。
【０００３】
LED照明器具の出力電圧が普通変わらなくて、そのため照明器具は仕事の時ずっと光度を維持する。ある場所で、照明器具はずっと最高の光度を維持する必要がなくて、例えば街灯、庭のライトと回廊のライト、夜の前半分人が多い時、光度の良い照明の効果を提供して、しかし夜中過ぎ人が少ない時、比較的に暗い照明でただの案内照明の効果を達することでよくて、この時光度の不変はロスになる。
【０００４】
LED照明器具の電気回路の中で、LEDの消耗は大きくないが、電流、電圧は一定の範囲の内で比較的に安定させることを要求しており、同時にLEDに対して過負荷の電流、電圧の場合の保護を求めて、これらの負荷の電力供給を解決するのは通常電流と電圧の安定化電源を使って、その上電源の電気回路の中で負荷の時ある電子素子が異常を発生する場合の過負荷の電流に対して保護する電気回路を加入しなければならなくて、これによって、このような電源の中で電子素子が多くて、電気回路が複雑で、消耗が大きくなること等は存在してある。図の１は現在ある１種の隔離式のスイッチの電源、電圧安定の電気回路であり、いわゆる“隔離式”は変圧器の両側のアースが独立で、このような電気回路の電源は電圧出力が安定できるが、LEDが高温の下で長期にわたり働く後、通る電圧が下がることになって、だからLED両端の電圧は変わらなくても、使う間電流は高くなる。電圧安定の電気回路の実際的な応用の中で、しばらく使った後で、いつも電流は高くなって、LEDの焼却される現象が発生して、使用寿命が短い。図の１は現在ある１種の非隔離式の電源、定電流電気回路である、このような電気回路は出力の電流の安定を保証できるが、多数の負荷の並列接続の状況の下で、電流のそれぞれの分かれ道内で平均的に分布しないことをもたらして、その結果道中の１つのLEDが焼却した後、急速に他の全ての分かれ道のLEDの焼却をもたらしやすい。その上、以上の２つの電気回路が提供してる安定電圧或は安定電流の電気回路は付加の電子素子は多くて、これらの素子はわりに損耗が大きくて、特にトライオード 、もとは省電力なLED応用は決して省エネルギー目的を達成できまない。
【０００５】
“MOSFET”は“metal-oxide-semiconductor field effect transistor”の略語で、即ち“金属の酸化物の半導体の電界効果トランジスタ ”であり、その原理はすべての近代的なICのチップの基礎である。１つのDepletion型MOSFET器具は３つの基本的な部分Source（S）、Gate（G）、Drain（D）から構成する。１つのNの-通路のDepletion型MOS電界効果トランジスタはSourceとDrainの間からGate表面に接近して、ひとつはSource・Drain同極性のShallow dopingからSourceとDrainをつなぐ。GateとSourceの電圧が“＋”である時、飽和導通電流は電圧が高くなることに従って大きくなって、この点が増強型MOS電界効果トランジスタと同じです。しかしGateとSource同電位の時、Drainが“＋”電圧を施すと、Depletion電界効果トランジスタは電流の急速な上昇のline-to-neutral を通って、それから安定電流の飽和区に入って、この時Drain電圧が飽和している電圧と称されて、Drain電流の大きさはShallow dopingの濃度、深さと関係がある。普通濃度と深さが大きいほど電流が大きくなる。GateとSourceが“−”電圧を施すと、通路は遮断されて、電流が０になって、この時のDrain電圧はオン電圧と称されて、しかし通路の濃度があまりに濃いならば、深さはあまりに深くて、Gateは通路の電流を切断することができない。Depletion MOSはGateとSourceの電圧が０である時、Drain、Sourceの電流が安定して流動する。これは増強型MOSが論理上の応用の便利さに及ばなくて、だから今まで工業界にただパーツとして扱われる。Depletion MOSについて、Gateの電圧が０である時、すでに導通の特性及びDrainの電圧は増加する時電流が殆ど飽和区にあって、Drainが壊すまで、だから安定電流の電源として使われる。
【発明の概要】
【発明が解決しようとする課題】
【０００６】
当発明が解決してるのは現有技術の不足問題を克服して、一種のLED照明器具の電気回路を提供して、当電気回路は構造が簡単で、効率が良くて、消耗が低くて、省エネルギー、照明器具の寿命を延ばせる。
【課題を解決するための手段】
【０００７】
当発明の第一技術方案：当発明は整流フィルタ電気回路、LED負荷、constant current sourceパーツ、扇風機の電気回路。交流電気が整流フィルタ電気回路とフィルタを通って、直流電流になり、出力端とアース端を形成して、LED負荷がconstant current sourceパーツと直列連結する後、上記述べた出力端、アース端と繋がると、電気回路になる。
【０００８】
LED照明器具電気回路は定電圧電気回路も含む。定電圧電気回路は整流フィルタ電気回路と繋ぐと、交流電流が整流フィルタ電気回路の整流とフィルタを通して、直流電流になる、また定電圧電気回路を通して、上記述べた出力端とアース端間のLED負荷、定電流電源パーツに定電圧の直流電流を提供する。
【０００９】
定電圧電気回路はスイッチ電源で、上記述べた定電圧電気回路がパワー因数校正電気回路を含む。
【００１０】
上記述べた扇風機電気回路がLED負荷、定電流電源パーツと直列連結をして、出力端とアース端の間に繋ぐ；或は扇風機電気回路は定電圧電気回路から直流電流を取り出して、電気を供給する。
【００１１】
上記述べた扇風機電気回路は扇風機制御モード及び分路電気抵抗を含んで、扇風機制御モードは分路電気抵抗と並列連結する。
【００１２】
上記に述べた定電流電源パーツはDepletion電界効果トランジスタで、述べたDepletion電界効果トランジスタのDrainは１つの接点であり、述べたDepletion電界効果トランジスタのGateとSourceが繋いで、一方の接点になる。
【００１３】
述べたLED負荷は少なくとも１組の直列連結のいくらのLEDを含む。
【００１４】
組ごとに述べたLEDは全て一個定電流電源パーツと直列連結して、直列連結する後の何組がまた並列連結して、一体として出力端とアース端と繋ぐ。
【００１５】
或は、何組のLEDが並列する後、一体として定電流電源パーツと直列連結する。
【００１６】
上記に述べたLED照明器具は短絡保護電気回路を含んで、短絡保護電気回路が交流電流の出力端と整流フィルタ電気回路の間に繋ぐ。
【００１７】
LED照明器具電気回路は温度オーバー保護電気回路を含んで、温度オーバー保護電気回路が交流電源の出力端と整流フィルタ電気回路の間に繋ぐ。
【００１８】
当発明が採用してる第二の技術方案：当発明は整流フィルタ電気回路、定電圧電気回路、LED負荷を、定電流電源パーツ、定時電気回路を含んで、交流電流は整流フィルタ電気回路の整流とフィルタを通して、直流電流に変わった後、また定電圧電気回路の定電圧を通して定電圧の直流電流の出力になって、出力端とアース端を形成して、述べたLED負荷、定電流電源パーツは直列連結をする後、述べた出力端とアース端の間に繋いで、電気回路になり、述べた定時電気回路が定電圧電気回路と繋いで、定電圧電気回路に定時フィードバックの信号を提供して、定電圧電気回路の出力電圧を変えることに用いる。
【００１９】
LED照明器具の省エネルギー制御電気回路はLED照明器具の散熱扇風機に電気を供給する扇風機電気回路を含む。
【００２０】
定電圧電気回路はスイッチ電源であり、定電圧電気回路はパワー因数校正電気回路を含む。
【００２１】
扇風機電気回路はLED負荷、定電流電源パーツと直列連結して、述べた出力端とアース端の間に繋いで、或は扇風機電気回路が述べた定電圧電気回路の中から直流電流を取り出して、電気を供給する。
【００２２】
扇風機電気回路は扇風機制御モード及び分路電気抵抗を含んで、扇風機制御モードが述べた分路電気抵抗と並列連結する。
【００２３】
定電流電源パーツはDepletion電界効果トランジスタであり、述べたDepletion電界効果トランジスタのDrainは１つの接点であり、述べたDepletion電界効果トランジスタのGateとSourceが繋いで、一方の接点になる。
【００２４】
述べたLED負荷は少なくとも１組の直列連結のいくらのLEDを含む。
【００２５】
組ごとに述べたLEDは全て一個定電流電源パーツと直列連結して、直列連結する後の何組がまた並列連結して、一体として出力端とアース端と繋ぐ。
【００２６】
或は、何組のLEDが並列する後、一体として定電流電源パーツと直列連結する。
【００２７】
上記に述べたLED照明器具は短絡保護電気回路を含んで、短絡保護電気回路が交流電流の出力端と整流フィルタ電気回路の間に繋ぐ。
【００２８】
LED照明器具電気回路は温度オーバー保護電気回路を含んで、温度オーバー保護電気回路が交流電源の出力端と整流フィルタ電気回路の間に繋ぐ。
【発明の効果】
【００２９】
当発明の有益効果：当発明は整流フィルタ電気回路、LED負荷、定電流電源パーツ、扇風機電気回路を含んで、交流電流は整流フィルタ電気回路の整流とフィルタを通して、直流電流になって、出力端とアース端と形成して、述べたLED負荷、定電流電源パーツが直列連結する後、述べた出力端とアース端の間に繋いで、電気回路になり、当発明は創造的に扇風機電気回路とLED負荷、定電流電源パーツを結合し、LED負荷が稼働するとき、扇風機電気回路が扇風機を駆動して、強制的に通風をして、散熱する。だから散熱の効果が各種の消極的な散熱より良い、LED芯が高温環境下での稼働を避けて、使用寿命を延ばせて、強制的な散熱によって、他の金属散熱パーツの体積を縮小できて、照明器具の構造を簡単にし、体積を縮小し、散熱効果がよく、使用寿命を延ばす、述べた整流フィルタ電気回路を通じて、交流電流を直流電流に変わって、出力して、即ち述べたLED負荷は高温環境の下で長く稼働して、電流が増やそうな時、述べた定電流電源パーツが電流の増強を阻止して、そして、述べたLED負荷が高温環境の下で下がった電圧を定電流電源パーツに使って、LED負荷の使用寿命を延ばして、焼却を避けて、述べた定電流電源パーツは独立のパーツとして、現有のほかの電気回路の外周り定電圧、及び定電流電気回路の代替品に使い、これによって、電気回路のパーツが多く減少して、電気回路が簡単になり、だから、当発明の電気回路の構造が簡単で、効率がよく、消耗が少なくて、省エネルギー、照明器具の使用寿命を延ばせる。
【００３０】
当発明は定電圧電気回路を含んで、述べた定電圧電気回路は整流フィルタ電気回路の後ろにつないで、交流電流が述べた整流フィルタ電気回路の整流、フィルタを通して、直流電流になった後、また述べた定電圧電気回路の定電圧を通して、述べた出力端とアース端の間のLED負荷、定電流電源パーツに定電圧の直流電流を提供して、述べた整流フィルタ電気回路、定圧電気回路を通して、定電圧の出力を得られて、LED照明器具の仕事環境がもっと安定になり、効率がもっと良くなり、使用寿命がもっと長くなる、だから当発明は同時に定電流、定電圧の二つの機能があり、性能がもっと高い、寿命がもっと長い。
【００３１】
当発明は定時電気回路を含んで、述べた定時電気回路は定電圧電気回路と繋ぎ、定電圧電気回路に定時のフィードバック信号を提供して、定電圧の出力電圧を変わることに使い、当発明は定電流電源パーツ、定時電気回路、定電圧電気回路をLED負荷と結合して、全体の電気回路が稼働し始まる時、LED負荷に割りに高い電圧を出力し、照明器具の光度が高くて、設定の時間が来る時、定時電気回路を通して、定電圧電気回路に定時のフィードバック信号を提供して、定電圧電気回路の出力電圧を下がらせて、ライトの光度も下がる、街灯、庭の明かりと回廊の明かりなどの照明器具に使って、夜前半部分の人が多い時、光度高い照明を提供して、夜中過ぎの人が少ない時、割りに暗い照明を提供して、案内の照明効果になればよい、照明器具はずっと高い高度の照明を提供する必要がなく、省電気の目的に達成する；同じ道理で、稼働し始まる時、定電圧電気回路が低い電圧を出力して、設定の時間になる後、定時電気回路は定電圧電気回路に定時のフィードバック信号を提供して、定電圧電気回路の出力電圧をUPさせて、正常電圧に達成させる；時間分けて照明器具の電圧を制御して、省エネルギーの目的を達成して、だから当発明は定時にLED照明器具の光度を変えられて、もっと省エネルギーである。
【００３２】
当発明は短絡保護電気回路も含んで、短絡保護電気回路が交流電源の出力端と整流フィルタ電気回路の間につないで、だから当発明は電圧過負荷の保護機能がある。
【００３３】
当発明は温度オーバー保護電気回路も含んで、温度オーバー保護電気回路が交流電源の出力端と整流フィルタ電気回路の間につないで、温度オーバー保護電気回路はLED温度が高温での寿命短いことを避けて、だから当発明は高温保護の機能がある。
【図面の簡単な説明】
【００３４】
【図１】一種の現有の隔離式のスイッチ電源定電圧電気回路の説明図。
【図２】一種の現有の非隔離式の電源定電流電気回路の説明図。
【図３】当発明の実施の例一の電気回路の説明図。
【図４】当発明の実施の例二の電気回路の説明図。
【図５】当発明の実施の例三の電気回路の説明図。
【図６】当発明の実施の例四の電気回路の説明図。
【図７】当発明の実施の例のLED照明器具の構造説明図。
【図８】当発明の実施の例五の電気回路の説明図。
【図９】当発明の実施の例六の電気回路の説明図。
【図１０】当発明の実施の例七の電気回路の説明図。
【図１１】当発明の実施の例八の電気回路の説明図。
【図１２】当発明の実施の例九の電気回路の説明図。
【図１３】当発明の実施の例十の電気回路の説明図。
【発明を実施するための形態】
【００３５】
（実施例一）
図の７のように、当実施例の中のLED照明器具は扇風機付きのを実施するのハイ・パワーLED照明器具であり、天井の筒状ランプがLED放熱の基板２０、金属の放熱パーツ３０、放熱の扇風機４０、カバ５０、駆動の電気回路基板のモジュール６０、反射光のカップ７０、holder３４、環状パーツ８１、インストール金属ドーム８２、ピン８３を含む。LED放熱の基板２０の上に何個のハイ・パワーLEDチップ１０即ちLED負荷３をつないで、LED放熱の基の板２０の上に全てのLEDチップ１０の周りにコッファダム２１を固定する。コッファダム２１内に蛍光粉と光学の樹脂を埋め込んで、コッファダムの２１によって、生産過程の中で蛍光粉と光学の樹脂を埋め込む時、蛍光粉と光学の樹脂があふれなくて、効果が良くて、生産効率が高い、LED放熱基板２０とLEDチップ１０の外部にカバー９０があり、金属の放熱パーツが翼式の放熱器であり、カバー５０上に放熱穴５１があって、金属の放熱パーツ３０とLED放熱の基板２０がつながって伝導して放熱して、放熱の扇風機４０及び駆動の電気回路板のモジュール６０がカバー５０内にあり、金属の放熱パーツ３０は放熱の扇風機４０とLED放熱の基板２０の間にあり、金属の放熱パーツ３０と放熱の扇風機４０がホルダー３４通じて固定して連結して、LED放熱の基板２０とLEDチップ１０が反射光のカップ７０内にある、反射光のカップ７０がアルミニウムの材料を採用して、勿論その他の熱伝導の金属材料を採用してもいい、反射光カップ７０の後部が金属の放熱パーツ３０と接触して放熱して、環状のパーツ８１カバーが反射光のカップ７０の口に付き、環状のパーツ８１をが装飾の作用を持つ同時に照明器具を天井にを組み込み易い、インストール金属ドーム８２、ピンの８３が環状のパーツ８１とつながって、それによって天井に組み込みやすい。
【００３６】
図の３の通り、当実施例のLED照明器具の電気回路は整流のフィルタ電気回路１、定電圧電気回路２、LED負荷３、定電流パーツ４、ショート保護電気回路５、扇風機の電気回路６を含んで、交流電気が整流のフィルタ電気回路１の整流とフィルタを通して直流電流になった後、出力端Aとアース端Gを形成して、定電圧電気回路２は整流フィルタ電気回路１とつないで、交流電気が整流フィルタ電気回路１の整流とフィルタを通して直流電流になった後、更に低電圧電気回路２の定電圧を通して述べた出力端Aとアース端G間の扇風機の電気回路６、LED負荷３、定電流電源パーツ４に直流電流を供給して、整流フィルタ電気回路１は４つの整流のダイオードD１、D２、D３、D４から構成する橋式の整流電気回路とフィルタコンデンサC１を含んで、ショート保護電気回路５はヒューズF１およびバリスターRV１を含んで、過負荷及びショートの保護に使う。交流電源の出力端と整流フィルタ電気回路の間につないで、扇風機の電気回路６は扇風機制御モジュールFANおよび分路抵抗器R１０を含んで、扇風機制御モジュールFANは分路抵抗器R１０と並列接続して、定電流電源パーツ４はDepletion電界効果トランジスターであり、Depletion電界効果トランジスターのDrainが１つの接点であり、Depletion電界効果トランジスターのSourceと Gate源がつないでもう一方の接点を構成して、定電圧電気回路２がスイッチの電源であり、定電圧電気回路２がパワー因数校正電気回路IC１を含んで、パワー因数校正電気回路IC１はST会社が作った型番L６５６１の電源PFCパワー因数制御電気回路を採用して、その電気回路が簡単で、効率良い等のメリットを持って、現在広範に省エネルギーのライトなどのパワー因数校正を必要する電源電気回路中に使い、その周りの素子がコンデンサC２〜C６、抵抗R１〜R９、ダイオードD５〜D７、MOSトランジスタQ１、変圧器T１を含んで、LED負荷３は１組の直列連結の何個のLEDを含んで、この組のLEDが更に１つの定電流電源パーツ４、扇風機の電気回路６と直列連結をして、そして出力端Aがとアース端Gの間につないで電気回路を構成し、直列連結の何個のLEDの数量は定電圧電気回路２の出力端の電圧V０、定電流電源パーツ４の両側の電圧VD、扇風機の電気回路６の両側の電圧VFanおよび平均的に一個ずつのLEDのを通す電圧VFによって決まり、普通の定電流電源パーツの仕事電圧が２〜１０Vであり、扇風機の電気回路６の仕事電圧が５〜１２Vで、だからLEDの個数が大体（V０−VD−VFan）/ VF に等しい、普通の交流電源に入力端の電圧は交流の２２０Vである、整流フィルタ電気回路１の整流とフィルタを通じて、平均的に直流の３００Vになり、当発明の述べた定電圧電気回路を通じて定電圧出力の４００Vになれて、そのため、定電流電源パーツ４及び扇風機の電気回路６の消耗するパワーは全体の電気回路に占める割合が非常に小さくて、全体の電気回路の電源の効率はとても高い。
【００３７】
当発明のDepletion電界効果トランジスターは下記の製造法を採用しても良い。
【００３８】
（１）P-型のsilicon substrateの表面を酸化ストーブ中で焦燥酸化して酸化層保護膜を形成して、それからlithography machineで第１lithography 版下を利用してlithography を行って、更にHFの腐食剤を使って酸化層保護膜をEtchingを行う。
【００３９】
（２）boron triflroride或はboron implantation P型をsilicon substrateの中に注いで、そして、高温で駆動して、P+保護環及びsilicon substrate接触のP+接触区を形成する。
【００４０】
（３）lithography machineで第二の１lithography 版下を利用してlithography を行って、それから乾燥Etching技術で酸化層をEtchingして、次に、implantation機械でphosphorous ion或は Arsenic ion或は両方の混合物をsilicon substrateに注いで、N+重混合区を形成して、即ちN+Source区、N+Drain区及びN+保護環を形成する。
【００４１】
（４）lithography machineで第三の１lithography 版下を利用してlithography を行って、HFを含む腐食液で阻止区の酸化層をEtchingする。次に高温乾燥酸化炭素或は湿気酸化炭素で酸化層を形成して、次にphosphorous ion を注いで、或はもっとboron ionを注ぐ。そして高温で駆動して、最後にN-通路区及び酸化層を形成する。
【００４２】
（５）lithography machineで第四の１lithography 版下を利用してlithography を行って、更にEtching技術で酸化層をEtchingして、Drain穴、Source+穴、silicon substrate+穴を形成する。
【００４３】
（６）跳ね注射或は蒸すめっきの方法で堆積金属層を作って、次にlithography machineで金属層の１lithography版下を利用してlithography を行って、乾燥或は湿気Etching技術で金属層をEtchingして、Drain金属、Source金属、Gate金属及び連結金属を形成する。
【００４４】
当実施例は整流フィルタ電気回路１、定電圧電気回路２を通して、安定の電圧出力を得られて、LED負荷３は高温下で長く仕事しても、電流が増やそうな時、述べた定電流電源パーツが電流の増強を阻止して、そして、述べたLED負荷３が高温環境の下で下がった電圧を定電流電源パーツ４に使って、LED負荷３の使用寿命を延ばして、焼却を避けて、述べた定電流電源パーツ４は独立のパーツとして、現有のほかの電気回路の外周り定電圧、及び定電流電気回路の代替品に使って、これによって、電気回路のパーツが多く減少して、電気回路が簡単になり、負荷の使用寿命を延ばせる。Depletion電界効果トランジスタはSource、Drain同電位の時の飽和電流がLEDの電流必要によって、調整できて、LEDに定電流供給を提供できる；定電圧電気回路２の出力端の電圧が安定であっても、負荷の長時間の高温仕事条件の下で電圧が下がることになり、この下がった電圧はDepletion電界効果トランジスタのSourceとDrainの間に加入して、負荷のLEDに影響しない；同時に出力電圧は不安定の時、特に正常電圧より高くなる場合、高くなった電圧がDepletion電界効果トランジスタのSourceとDrainの間に加入して、負荷のLEDに影響しない。だからLEDに対して、定電流保護の機能があって、当実施の例が負荷に対して、同時に定電圧、定電流の出力を提供できて、LEDの長く寿命の要求に特に良い。だから、当発明の電気回路の構造が簡単で、効率がよく、消耗が少なくて、省エネルギー、照明器具の使用寿命を延ばせる。
【００４５】
当発明は創造的に扇風機電気回路６とLED負荷３、定電流電源パーツ４を結合した。LED負荷３が稼働するとき、扇風機電気回路６が放熱扇風機４０を駆動して、強制的に通風をして、放熱する、現有技術の消極的な放熱の不足問題を克服して、照明器具の放熱は積極的な放熱と消極的な放熱を一体に集まって、LED照明器具の放熱効果大きく改善して、LED芯が高温環境下での稼働を避けて、使用寿命を延ばせて、強制的な散熱によって、他の金属散熱パーツの体積を縮小できて、照明器具の構造を簡単にし、体積を縮小し、散熱効果がよく、使用寿命が長い。
【００４６】
当実施例の照明するとき、放熱扇風機４０も同時に稼働して、LEDチップ１０が光を出す時、熱を発生して、発生する熱はLED放熱基板２０を通して、金属放熱パーツ３０に伝導する、金属放熱パーツ３０は現有の放熱パーツの「消極式」放熱と同じで、一部の熱を廻りの空気の中に発散して、同時に放熱扇風機４０で他の一部の熱を吹いて出し、「積極式」の強制放熱の効果を達成する、放熱の効果が良くて、LEDチップ１０が高温下での仕事を避けられて、使用寿命を延ばす、強制的な散熱によって、他の金属散熱パーツ３０の体積を縮小できて、照明器具の構造を簡単にし、体積を縮小し、散熱効果がよく、使用寿命が長い。比較テストで、他の条件が一緒の場合、消耗が同じで８０WのLED照明器具は放熱扇風機がないと、仕事の温度が８０℃ぐらいになって、当実施例の扇風機を付くと、仕事温度が４０℃ぐらいまで下がって、大きくLED照明器具の放熱効果をUPさせた。
【００４７】
（実施例の二）
図の４の通り、当実施例は実施例の一との区別：当実施例のLED負荷３は四組直列連結の何個のLEDを含んで、全ての組みのLEDは一個の定電流電源パーツ４と直列連結をして、直列連結の四組はまた並列連結して、一体にして扇風機電気回路６と直列連結をして、当実施例に共に四個の定電流電源パーツ４がある。当実施例の中、全ての組が直列連結のLEDの個数の計算式が実施例一と同じである。
【００４８】
当実施例のほかの特性が実施例の一と同じである。
【００４９】
（実施例の三）
図の５の通り、当実施例は実施例の一との区別：実施例のLED負荷３は四組直列連結の何個のLEDを含んで、全ての組みのLEDは並列連結して、一体にして扇風機電気回路６および定電流電源パーツ４と直列連結をして、即ち当実施例にひとつの定電流電源パーツ４がある。
【００５０】
当実施例のほかの特性が実施例の一と同じである。
【００５１】
（実施例の四）
図の６の通り、当実施例は実施例の一との区別：当実施例の扇風機電気回路６は定電圧電気回路２の中の変圧器T１からひとつのtapを取り出して、５〜１２Vの直流電流を供給して、即ち当実施例の扇風機電気回路６とLED負荷３、定電流電源パーツ４は別々に電流を供給する。同じで、定電流電源パーツ４及び扇風機電気回路６の消耗は全体の電気回路に占める割合が非常に少なくて、全体の電気回路の電源の効率が高い。
【００５２】
当実施例のほかの特性が実施例の一と同じである。
【００５３】
（実施例の五）
図の８の通り、当実施の例は実施例の一の区別：当実施例は定時電気回路８を含んで、放熱扇風機及び扇風機電気回路６を設置してなくて、定時電気回路８は定電圧電気回路２と連結して、定電圧電気回路２に定時のフィードバック信号を提供して、定電圧２の出力電圧を変えることに使う。整流フィルタ電気回路１は橋式整流器D１及びフィルタコンデンサC１ を含んで、短絡保護電気回路５はヒューズF１及びサーミスタRV１を含んで、過電流及び短絡の保護に使う。交流電源の出力端と整流フィルタ電気回路の間につないで、定電流電源パーツ４はDepletion電界効果トランジスタであり、Depletion電界効果トランジスタのDrainは１つの接点であり、Source とGateは連結して、もう一方の接点になる。定電圧電気回路２はスイッチの電源であり、定電圧電気回路２はパワー因数校正電気回路IC１を含んで、パワー因数校正電気回路IC１はST会社が作った型番L６５６１の電源PFCパワー因数制御電気回路を採用して、電気回路が簡単で、効率が高いなどのメリットを持って、今省エネルギー照明器具等のパワー因数校正を必要する電源電気回路によく使われて、外周りの素子はコンデンサC２〜C６、抵抗器R１〜R９、R１４、調整できる抵抗器VR１、トランジスタD２、D３、定電圧トランジスタZ１、MOSトランジスタQ１、変圧器T１を含んで、調整できる抵抗器VR１はLED負荷３の数量によって、調節して、定電圧電気回路２の出力電圧を制御して、定時電気回路８は型番８９C２０５１のワンチップマイクロコンピュータU１を含んで、勿論逆数えの定時ICを使っても良くて、その外周り電気回路はコンデンサC７〜C１１、抵抗器R１５、R１７、トランジスタD４、D５、定電圧トランジスタZ２、クリスタルY１を含んで、トランジスタD５の両側は別々にフィードバック抵抗器R１４、ワンチップマイクロコンピュータU１の第１９足と連結する。電気回路は稼働し始まる時、ワンチップマイクロコンピュータU１の第１９足がローレベルであり、パワー因数校正電気回路IC１の第１足は電流を出力して、フィードバック抵抗器R１４、トランジスタD５と通して、流通して、そして、ワンチップマイクロコンピュータU１とアース端Gと通して、電流回路になり、この時、フィードバック抵抗器R１４が調整できる抵抗器VR１と並列連結と相当して、その総合抵抗値は調整できる抵抗器VR１の抵抗値より小さくて、定電圧でき回路２は高い電圧を出力して、LED負荷３は正常に発光して、照明器具の光度が高い；設定の時間が来ると、ワンチップマイクロコンピュータU１の第１９足はハイレベルに変わり、この時のパワー因数校正電気回路IC１の第１足は出力する電流がフィードバック抵抗器R１４、トランジスタD５を通せなくて、即ちフィードバック抵抗器R１４を通す電流がない、この時、ただ調整できる抵抗器VR１には通す電流があり、よって、定電圧電気回路２が低い電圧を出力して、照明器具の光度が下がる、街灯、庭の明かりと回廊の明かりなどの照明器具に使って、夜前半部分の人が多い時、光度高い照明を提供して、夜中過ぎの人が少ない時、割りに暗い照明を提供して、案内の照明効果になればよい、照明器具はずっと高い高度の照明を提供する必要がなく、省電気の目的に達成する；同じ道理で、稼働し始まる時、定電圧電気回路２が低い電圧を出力して、設定の時間になる後、定時電気回路は定電圧電気回路２に定時のフィードバック信号を提供して、定電圧電気回路２の出力電圧をUPさせて、正常電圧に達成させる、上記の原理は時間分けて照明器具の電圧を制御して省エネルギーの目的を達成する；LED負荷３は１組の直列連結の何個のLEDを含んで、この組のLEDが更に１つの定電流電源パーツ４と直列連結をして、そして出力端Aがとアース端Gの間につないで電気回路を構成して、直列連結の何個のLEDの数量は定電圧電気回路２の出力端の電圧V０、定電流電源パーツ４の両側の電圧VD、および平均的に一個ずつのLEDのを通す電圧VFによって決まり、普通の定電流電源パーツ４の仕事電圧が２〜１０Vであり、だからLEDの個数が大体（V０−VD−）/ VF に等しい、普通の交流電源に入力端の電圧は交流の２２０Vであり、整流フィルタ電気回路１の整流とフィルタを通じて、平均的に直流の３００Vになる、当発明の述べた定電圧電気回路２を通じて定電圧出力の４００Vになれて、そのため、定電流電源パーツ４の消耗するパワーは全体の電気回路に占める割合が非常に小さくて、全体の電気回路の電源の効率はとても高い。勿論、定時電気回路８も他の類似の電気回路を採用してよくて、当実施例に拘らない。
【００５４】
当実施例のほかの特性が実施例の一と同じである。
【００５５】
（実施例の六）
図の９の通り、当実施の例は実施例の五との区別：当実施例のLED照明器具は放熱扇風機を含んで、当実施例のLED照明器具の電気回路はLED照明器具の放熱扇風機に電気を供給する扇風機電気回路６を含んで、扇風機電気回路６は扇風機制御モジュールFAN及び分路抵抗器R１０を含んで、扇風機制御モジュールFANは分路抵抗器R１０と並列連結をして、LED負荷３は四組の直列連結の何個のLEDを含んで、全ての組のLEDは一個の定電流電源パーツ４と直列連結をして、直列連結の四組はまた並列連結をして、一体にして、扇風機電気回路６と直列連結して、出力端Aとアース端Gの間につないで、だから、当実施例には共に四つの定電流電源パーツ４がある。
【００５６】
当実施例のほかの特性が実施例の五と同じである。
【００５７】
（実施例の七）
図の１０の通り、当実施例は実施例の六との区別：当実施例のLED負荷３は四組の直列連結の何個のLEDを含んで、各組のLEDは並列連結をして、一体にして、定電流電源パーツ４と直列連結して、出力端Aとアース端Gの間につないで、即ち、当実施例には１つの定電流電源パーツ４しかない；その他、当実施例の扇風機電気回路６は定電圧電気回路２の中の変圧器T１からひとつのtapを取り出して、５−１２Vの直流電流を供給して、即ち当実施例の扇風機電気回路６とLED負荷３、定電流電源パーツ４は別々に電流を供給しあり、同じで、定電流電源パーツ４及び扇風機電気回路６の消耗は全体の電気回路に占める割合が非常に少なくて、全体の電気回路の電源の効率が高い。
【００５８】
当実施例のほかの特性が実施例の六と同じである。
【００５９】
（実施例の八）
図の１１の通り、当実施の例は実施例の五との区別：当実施例のLED照明器具の電気回路はLED照明器具の放熱扇風機に電気を供給する扇風機電気回路６を含んで、扇風機電気回路６は扇風機制御モジュールFAN及び分路抵抗器R１０を含んで、扇風機制御モジュールFANは分路抵抗器R１０と並列連結をして、扇風機電気回路はLED負荷３、定電流電源パーツ４と直列連結して、出力端Aとアース端Gの間につなぐ。パワー因数校正電気回路U１は型番MC３３２６２のパワー因数制御電気回路を採用して、その外周りの素子はコンデンサC６〜C１０、抵抗器R１〜R８、トランジスタD２、D３、MOSトランジスタQ１、変圧器T２を含んで、定時電気回路８は広州南科集成電子会社が作った型番NK８２８８の四段時間を計算する集積電子回路U２を含む。その外周りの素子はコンデンサC２、分路抵抗器R１５、R１６、出力抵抗R１１〜R１４、クリスタルY１を含んで、当実施例の定時電気回路８は四つの違う時間帯によって、違うLEDの光度を調節して、だから応用性が広くて、調節範囲が大きい。
【００６０】
当実施例のほかの特性が実施例の五と同じである。
【００６１】
（実施例の九）
図の１２の通り、当実施例は実施例の一との区別：当実施例は実施例の一の簡単化であり、述べた定電圧電気回路２を省略して、ただ整流フィルタ電気回路１を通して直流電流を供給して、構造はもっと簡単になり、当発明の初歩的な効果も達成できて、当実施例は温度オーバー保護電気回路７を含んで、温度オーバー保護電気回路７はThermostat F２から構成して、交流電流の出力端と整流フィルタ電気回路１の間につないで、温度オーバー保護電気回路７はLEDの高温での寿命短縮問題を避けられて、高温保護の機能がある。
【００６２】
当実施例のほかの特性が実施例の一と同じである。
【００６３】
（実施例の十）
図の１３の通り、当実施例は実施例の九との区別：当実施例のLED負荷３は二組の直列連結の何個のLED を含んで、全て組みのLEDは１つの定電流電源パーツ４と直列連結して、直列連結する後の二組は一体としてまた扇風機電気回路６と直列連結して、だから当実施例には二つの定電流電源４がある。
【００６４】
当実施例のほかの特性が実施例の九と同じである。
【産業上の利用可能性】
【００６５】
当発明のLED照明器具は実施例の天井灯りに拘らなくて、実施例はただの例を挙げる説明であり、鉱山灯り、街灯、庭灯り、廊下灯り、LED電球などの形に作って、他の室外の違う場所にも応用できて、特にハイパワー照明器具に相応しい。当発明はLED照明器具領域によく応用される。
【図１】
2010171014.tif 000003
【図２】
2010171014.tif 000004
【図３】
2010171014.tif 000005
【図４】
2010171014.tif 000006
【図５】
2010171014.tif 000007
【図６】
2010171014.tif 000008
【図７】
2010171014.tif 000009
【図８】
2010171014.tif 000010
【図９】
2010171014.tif 000011
【図１０】
2010171014.tif 000012
【図１１】
2010171014.tif 000013
【図１２】
2010171014.tif 000014
【図１３】
2010171014.tif 000015